Podtech/llm-jp-corpus-v4-ja_patent huggingface dataset:
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
Ｒｅｎｉｌｌａ緑色蛍光タンパク質（Ｒｅｎｉｌｌａ  ＧＦＰ）またはＲｅｎｉｌｌａルシフェラーゼタンパク質（Ｒｅｎｉｌｌａ  Ｌｕｃ）で標識された目的のタンパク質を含む第１の構成成分と、
Ｒｅｎｉｌｌａ  ＧＦＰまたはＲｅｎｉｌｌａ  Ｌｕｃで標識された細胞区画標的化部分を含む第２の構成成分と
を含み、
前記第１のタンパク質が前記Ｒｅｎｉｌｌａ  ＧＦＰで標識される場合、前記細胞区画標的化部分は前記Ｒｅｎｉｌｌａ  Ｌｕｃで標識され、前記第１のタンパク質が前記Ｒｅｎｉｌｌａ  Ｌｕｃで標識される場合、前記細胞区画標的化部分は前記Ｒｅｎｉｌｌａ  ＧＦＰで標識される
目的のタンパク質の輸送及び／または局在化を評価するバイオセンサー。
【請求項２】
前記目的のタンパク質は前記Ｒｅｎｉｌｌａ  Ｌｕｃで標識され、前記細胞区画標的化部分は前記Ｒｅｎｉｌｌａ  ＧＦＰで標識される、請求項１に記載のバイオセンサー。
【請求項３】
前記目的のタンパク質が、ｉ）エフェクタータンパク質、ｉｉ）低分子ＧＴＰアーゼに結合するタンパク質、例えばＲｈｏ結合ポリペプチド、ｉｉｉ）β−アレスチンポリペプチド、ｉｖ）細胞表面受容体タンパク質、ｖ）Ｇタンパク質サブユニットポリペプチド、ｖｉ）シグナル伝達ペプチド、ｖｉｉ）アダプタータンパク質、ｖｉｉｉ）受容体の刺激により形質膜へ動員されるタンパク質、ｉｘ）受容体の刺激により形質膜から隔離されるタンパク質、またはｘ）それらのフラグメントである、請求項１または２に記載のバイオセンサー。
【請求項４】
前記目的のタンパク質が細胞表面受容体である、請求項３に記載のバイオセンサー。
【請求項５】
前記細胞表面受容体がＧタンパク質共役型受容体（ＧＰＣＲ）または受容体チロシンキナーゼ（ＲＴＫ）である、請求項４に記載のバイオセンサー。
【請求項６】
前記目的のタンパク質がプレクストリン相同（ＰＨ）ドメインを含む、請求項３に記載のバイオセサー。
【請求項７】
前記目的のタンパク質がＰＬＣδ１のＰＨドメインを含む、請求項６に記載のバイオセサー。
【請求項８】
前記目的のタンパク質がホルボールエステル／ジアシルグリセロール結合ドメインを含む、請求項３に記載のバイオセサー。
【請求項９】
前記目的のタンパク質がＰＫＣ（Ｃ１ｂ）のホルボールエステル／ジアシルグリセロール結合ドメインを含む、請求項８に記載のバイオセサー。
【請求項１０】
前記目的のタンパク質が、少なくとも１つのＳＨ２及び／またはＳＨ３ドメインを含むアダプタータンパク質あるいはそのフラグメントである、請求項３に記載のバイオセサー。
【請求項１１】
前記細胞区画標的化部分が、形質膜（ＰＭ）標的化部分、エンドソーム標的化部分、ゴルジ標的化部分、リソソーム標的化部分、ペルオキシソーム標的化部分、オートファゴソーム標的化部分、リボソーム標的化部分、ミトコンドリア標的化部分、細胞骨格標的化部分または核標的化部分である、請求項１〜１０のいずれか一項に記載のバイオセンサー。
【請求項１２】
前記細胞区画標的化部分が形質膜（ＰＭ）標的化部分またはエンドソーム標的化部分である、請求項１１に記載のバイオセンサー。
【請求項１３】
前記ＰＭ標的化部分が、（ａ）パルミトイル化、ミリストイル化及び／もしくはプレニル化シグナル配列、ならびに／または（ｂ）多塩基配列を含む、請求項１２に記載のバイオセンサー。
【請求項１４】
前記ＰＭ標的化部分が、アミノ酸配列ＭＧＣＩＫＳＫＧＫＤＳ（配列番号１）、ＧＫＫＫＫＫＫＳＫＴＫＣＶＩＭ（配列番号７）、ＣＭＳＣＫＣＶＬＳ（配列番号４７）、ＣＭＳＣＫＣＣＩＬ（配列番号４３）、またはＳＰＫＫＧＬＬＱＲＬＦＫＲＱＨＱＮＮＳＫＳ（配列番号８）を含む、請求項１３に記載のバイオセンサー。
【請求項１５】
前記エンドソーム標的化部分が、ＦＹＶＥドメインを含む、請求項１２に記載のバイオセンサー。
【請求項１６】
前記エンドソーム標的化部分が、ヒトｅｎｄｏｆｉｎの残基７３９〜８０６（配列番号２０）を含む、請求項１５に記載のバイオセンサー。
【請求項１７】
前記エンドソーム標的化部分が、前記Ｒｅｎｉｌｌａ  Ｌｕｃもしくは前記Ｒｅｎｉｌｌａ  ＧＦＰのＣ末端に融合している、及び／または、前記目的のタンパク質が、前記Ｒｅｎｉｌｌａ  Ｌｕｃもしくは前記Ｒｅｎｉｌｌａ  ＧＦＰのＮ末端に融合している、請求項１２、１５及び１６のいずれか一項に記載のバイオセンサー。
【請求項１８】
前記目的のタンパク質が、前記Ｒｅｎｉｌｌａ  ＬｕｃのＮ末端に融合しているβ−アレスチンポリペプチドであり、かつ、前記細胞区画標的化部分が、前記Ｒｅｎｉｌｌａ  ＧＦＰのＣ末端の端部に融合している、形質膜（ＰＭ）標的化部分またはエンドソーム標的化部分である、請求項３に記載のバイオセサー。
【請求項１９】
前記目的のタンパク質が、前記Ｒｅｎｉｌｌａ  ＬｕｃのＮ末端に融合しているＧＰＣＲであり、かつ、前記細胞区画標的化部分が、前記Ｒｅｎｉｌｌａ  ＧＦＰのＣ末端の端部に融合している、形質膜（ＰＭ）標的化部分またはエンドソーム標的化部分である、請求項４に記載のバイオセサー。
【請求項２０】
前記第１及び第２の構成成分が、約５０〜約５００個のアミノ酸の可動性ポリペプチドリンカーにより共有結合的に連結している、請求項１〜１９のいずれか一項に記載のバイオセンサー。
【請求項２１】
請求項１〜２０のいずれか一項に記載のバイオセンサーの前記第１及び／または第２の構成成分をコードする、核酸。
【請求項２２】
請求項１〜２０のいずれか一項に記載のバイオセンサーを発現する、宿主細胞。
【請求項２３】
作用物質が細胞中の目的のタンパク質の輸送を調節するかを決定する方法であって、
前記作用物質の存在及び不在下で請求項１〜２０のいずれか一項に記載のバイオセンサーにおけるＢＲＥＴシグナルを測定することを含み、
前記作用物質の不在下と比べた存在下での前記ＢＲＥＴシグナルの差が、前記作用物質が前記細胞中の前記目的のタンパク質の前記輸送を調節することを示す、前記方法。
【請求項２４】
第１及び第２の条件間の細胞区画における生体分子の量の調節を評価する方法であって、
前記生体分子に結合するタンパク質マーカーで標識されたＲｅｎｉｌｌａ緑色蛍光タンパク質（Ｒｅｎｉｌｌａ  ＧＦＰ）を含む第１の構成成分と
前記タンパク質マーカーで標識されたＲｅｎｉｌｌａルシフェラーゼタンパク質（Ｒｅｎｉｌｌａ  Ｌｕｃ）を含む第２の構成成分と
を含むバイオセンサーを提供することと、
前記第１及び第２の条件下のＢＲＥＴ受容体シグナルを測定することと
を含み、
前記第１及び第２の条件間の前記ＢＲＥＴシグナルの差が、前記第１及び第２の条件間の前記細胞区画における前記生体分子の量の調節を示す、前記方法。
【請求項２５】
前記第１の条件が作用物質の存在であり、前記第２の条件が作用物質の不在である、請求項２４に記載の方法。
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
表面と機器のインタラクションを検出するシステムであって、
表面に沿って進むように構成される形状検知可能な機器と、
前記機器からの形状検知フィードバックを監視し、前記表面との接触がなされたかどうかを識別するとともに前記接触の位置を決定するために、前記形状検知フィードバックのモードを決定する、インタラクション評価モジュールと、
を有するシステム。
【請求項２】
前記形状検知可能な機器は、前記形状検知フィードバックとして光学形状検知信号を提供する光学形状検知システムを有する、請求項１に記載のシステム。
【請求項３】
前記形状検知フィードバックのモードは、前記光学形状検知信号における不連続性情報又は周波数応答情報の１又は複数によって識別される振動を含む、請求項２に記載のシステム。
【請求項４】
前記形状検知フィードバックのモードは、温度、軸方向ひずみ及び曲率の１又は複数を含む、請求項２に記載のシステム。
【請求項５】
前記形状検知フィードバックのモードは、前記機器からの光学形状検知信号において識別される圧縮を含む、請求項２に記載のシステム。
【請求項６】
前記形状検知フィードバックのモードは、前記光学形状検知信号から決定され及び前記機器と前記表面の間の接触を示すために予測される形状構成を含む、請求項２に記載のシステム。
【請求項７】
前記形状検知フィードバックのモードは、前記機器と前記表面との間の接触を示す前記光学形状検知信号から決定される動きプロファイルを含む、請求項２に記載のシステム。
【請求項８】
前記形状検知フィードバックの２又はそれ以上のパラメータを使用して前記機器と前記表面との間のインタラクションを決定するように構成される複合メトリックを更に有する、請求項１に記載のシステム。
【請求項９】
前記複合メトリックの２又はそれ以上のパラメータは、前記機器の振動情報、前記機器の軸方向ひずみ、前記機器の曲率、温度又は前記機器の動きパターンの少なくとも１つを含む、請求項８に記載のシステム。
【請求項１０】
表面接触が生じたかどうかを決定し又は表面接触が前記機器と前記表面の間で生じた位置を識別するために、前記機器の光学形状検知によって決定される位置及び向きと比較される前記表面の表現を更に有する、請求項１に記載のシステム。
【請求項１１】
前記表面との接触がなされたかどうかを識別する前記形状検知フィードバックのモードに従って前記機器を調整するアクチュエーションモジュールを更に有する、請求項１に記載のシステム。
【請求項１２】
表面と機器のインタラクションを検出するシステムであって、
表面に沿って進むように構成される可撓性機器と、
機器に組み込まれており、光学形状検知信号を形状検知フィードバックとして提供するよう構成される光学形状検知システムと、
プロセッサと、
前記プロセッサに結合されるメモリと、
前記メモリに記憶されており、前記機器からの形状検知フィードバックを監視し、前記表面との接触がなされたかどうかを識別するとともに前記接触の位置を決定するために、前記形状検知フィードバックのモードを決定するように構成されるインタラクション評価モジュールと、
前記形状検知フィードバックのモードに従って前記機器を調整するアクチュエーションモジュールと、
を有するシステム。
【請求項１３】
前記形状検知フィードバックのモードは、前記光学形状検知信号における不連続性情報又は周波数応答情報の少なくとも一方によって識別される振動を含む、請求項１２に記載のシステム。
【請求項１４】
前記形状検知フィードバックのモードは、前記光学形状検知信号において識別される圧縮を含む、請求項１２に記載のシステム。
【請求項１５】
表面と機器のインタラクションを検出する方法であって、
表面に沿って進むように構成される可撓性の形状検知可能な機器から、形状検知フィードバックを受信するステップと、
前記機器からの前記形状検知フィードバックを監視し、前記表面との接触がなされたかどうかを識別するとともに前記接触の位置を決定するために、前記形状検知フィードバックのモードを決定するインタラクション評価モジュールを使用して、前記形状検知フィードバックを評価するステップと、
を含む方法。
【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
第一及び第二の端部と、前記第一及び第二の端部の間に延在する複数の経路（２２）と、を有する少なくとも１つのマルチポート管（５）であって、前記マルチポート管の凝縮器部（１０）及び蒸発器部（１１）の間に屈曲（１３）を有し、前記凝縮器部（１０）は、前記マルチポート管の前記第一の端部及び前記屈曲の間にあり、前記蒸発器部（１１）は、前記マルチポート管の前記第二の端部及び前記屈曲の間にあり、前記凝縮器部及び前記蒸発器部の間の前記屈曲は、前記蒸発器部において蒸発された流体を前記凝縮器部に案内する蒸気流路、又は、凝縮された液体を前記凝縮器部から前記蒸発器部に案内する液体流路を提供する、少なくとも１つのマルチポート管（５）と、
前記マルチポート管の前記第一及び第二の端部と流体連通する少なくとも１つのマニホルド（２、３、４）と、を備えるサーモサイホン装置（１）であって、
前記サーモサイホン装置は、前記複数の経路の各々における作動流体の流れが前記第一及び第二の端部の間でただ一つの方向であるような循環流のために構成される、サーモサイホン装置（１）。
【請求項２】
前記屈曲は、少なくとも９０度に及ぶ、請求項１に記載の装置。
【請求項３】
前記屈曲は、少なくとも１８０度に及ぶ、請求項１に記載の装置。
【請求項４】
前記屈曲は、前記蒸発器部において蒸発された流体を前記凝縮器部に案内する蒸気流路を提供する、請求項１に記載の装置。
【請求項５】
前記屈曲は、凝縮された液体を前記凝縮器部から前記蒸発器部に案内する液体流路を提供する、請求項１に記載の装置。
【請求項６】
前記装置は、前記少なくとも一つのマルチポート管の前記第一及び第二の端部に接続された単一のマニホルドを含む、請求項１に記載の装置。
【請求項７】
前記装置は、第１のマニホルド及び第２のマニホルドを含み、
前記第１のマニホルドは、前記第一の端部に接続され、
前記第２のマニホルドは、前記第二の端部に接続される、請求項１に記載の装置。
【請求項８】
前記第１のマニホルド及び前記第２のマニホルドの間に延び、前記第１のマニホルド及び前記第２のマニホルドを流体連結する導管（１２）を備える、請求項７に記載の装置。
【請求項９】
前記導管は、前記第１のマニホルド及び前記第２のマニホルドの間に凝縮された液体を案内するように配置され、
前記屈曲は、前記蒸発器部で蒸発された流体を前記凝縮器部に案内する蒸気流路を提供するように配置される、請求項８に記載の装置。
【請求項１０】
前記導管は、前記第１のマニホルド及び前記第２のマニホルドの間に蒸発された流体を案内するように配置され、
前記屈曲は、凝縮された液体を前記凝縮器部から前記蒸発器部に案内する液体流路を提供するように配置される、請求項８に記載の装置。
【請求項１１】
前記少なくとも１つのマルチポート管は、複数の並列流動経路を有する平坦管として形成される、請求項１に記載の装置。
【請求項１２】
前記少なくとも１つのマルチポート管は、前記平坦管の面に直交する軸周りにおいて屈曲し、前記屈曲を形成する、請求項１１に記載の装置。
【請求項１３】
前記少なくとも１つのマルチポート管は、さらに、前記平坦管の長さに沿って延びる軸周りに捩られる、請求項１２に記載の装置。
【請求項１４】
前記マルチポート管の蒸発器部及び／又は凝縮器部と熱的に接触するフィン（９）を備える、請求項１に記載の装置。
【請求項１５】
複数のマルチポート管を備え、
前記装置は、前記マルチポート管の前記第一及び第二の端部に接続された単一のマニホルドを含み、
前記第一及び第二の端部は、前記単一のマニホルド上の単一線に沿って配置される、請求項１に記載の装置。
【請求項１６】
前記第一及び第二の端部は、互いに交互となる、請求項１５に記載の装置。
【請求項１７】
前記凝縮器部及び前記蒸発器部の間の前記屈曲は、凝縮された液体を前記凝縮器部から前記蒸発器部に案内する液体流路を提供し、
前記装置は、第１のマニホルド及び第２のマニホルドを含み、
前記第１のマニホルドは、前記マルチポート管の前記第一の端部に接続され、
前記第２のマニホルドは、前記マルチポート管の前記第二の端部に接続され、
前記少なくとも１つのマルチポート管の少なくとも１つの経路は、蒸発された流体を前記第２のマニホルドから前記第１のマニホルドに案内する蒸気供給路として機能するように配置される、請求項１に記載の装置。
【請求項１８】
前記蒸気供給路内の蒸気を過熱するために、前記蒸発器部の一部分に接触した熱伝達構造（９）をさらに備える、請求項１７に記載の装置。
【請求項１９】
前記少なくとも１つのマルチポート管の蒸気流路又は液体流路を提供する部分以外の部分と熱的に接触する熱伝達構造（９）をさらに備える、請求項１に記載の装置。
【請求項２０】
上方蒸発器ヘッダから下方に延びる複数の蒸発器経路を含んだ蒸発器部と、
下方凝縮器ヘッダから上方に延びる複数の凝縮器経路を含んだ凝縮器部と、
前記下方凝縮器ヘッダ及び前記上方蒸発器ヘッダを接続し、蒸気供給経路及び液体返却経路を含んだ導管と、
を備える、サーモサイホン装置。
【請求項２１】
前記下方凝縮器ヘッダは、前記液体返却経路と流体連通した液体チャンバと、前記蒸気供給経路と流体連通した蒸気チャンバと、を含む、請求項２０に記載の装置。
【請求項２２】
前記上方蒸発器ヘッダは、前記液体返却経路と流体連通した液体チャンバと、前記蒸気供給経路と流体連通した蒸気チャンバと、を含む、請求項２０に記載の装置。
【請求項２３】
前記複数の凝縮器経路の上方端部と流体連通した上方凝縮器ヘッダと、前記蒸発器経路の下方端部と流体連通した下方蒸発器ヘッダと、をさらに備える、請求項２０に記載の装置。
【請求項２４】
上方蒸発器ヘッダ及び下方蒸発器ヘッダの間に延びる複数の蒸発器経路を含んだ蒸発器部と、
上方凝縮器ヘッダ及び下方凝縮器ヘッダの間に延びる複数の凝縮器経路を含んだ凝縮器部と、
前記下方凝縮器ヘッダ及び前記下方蒸発器ヘッダを接続する第１のＵ字型導管と、
前記上方凝縮器ヘッダ及び前記上方蒸発器ヘッダを接続する第２のＵ字型導管と、
を備える、サーモサイホン装置。
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
試料中の標的物の試料濃度を決定する方法であって、
標的物の局所的な濃度を示す個別の局所的な測定値のデータ点を含むアッセイデータを、アッセイアセンブリの複数のアッセイ領域のそれぞれにて得るステップであって、前記アッセイ領域は、前記アッセイアセンブリを流れる試料が順番に各アッセイ領域を流れるように直列に連結され、各アッセイ領域は、その表面に固定化されている複数のプローブ物を含み、前記試料が前記アッセイ領域の１つから次のものまで流れる際に前記標的物の濃度が減少するように、前記プローブ物は前記試料中の前記標的物に結合するように配置されているステップと；
前記アッセイデータをパラメータ化された関数でモデル化するステップと；
１つ以上のパラメータの少なくとも１つに基づいて試料濃度を示す値を決定するステップと、を含み、
前記パラメータ化された関数がロジスティック関数であり、前記パラメータ化された関数が下記数式に比例することを特徴とする方法。
【数１】
2017534885.tif 000001
（式中、ＤＰｍａｘおよびＳｈａｐｅは前記アッセイアセンブリに特有の固定パラメータであり、Ｏｆｆｓｅｔは試料標的濃度に依存するパラメータであり、ＤＺｉは、順番における個別のアッセイ領域ｉの位置を示す。）
【請求項２】
前記パラメータ化された関数が試料濃度の範囲について得られたアッセイデータセットから得られることを特徴とする請求項１に記載の方法。
【請求項３】
較正関数を用いて、１つ以上のパラメータの少なくとも１つに基づいて値を決定するステップを含み、前記較正関数が、所与の値を超える標的物の試料濃度での使用のための第１の関数と、所与の値未満の標的物の試料濃度での使用のための第２の関数と、を含むことを特徴とする請求項１乃至２のいずれか１項に記載の方法。
【請求項４】
各局所的な測定値が、個別のアッセイ領域の表面での屈折率の変動を示す請求項１乃至３のいずれか１項に記載の方法。
【請求項５】
前記個別のアッセイ領域の表面での前記屈折率の変動が、前記個別のアッセイ領域を流れる増幅器溶液によって増幅され、結合した標的物と増幅器が相互作用した際に前記個別のアッセイ領域での前記屈折率の変動が増幅するように、前記アッセイ領域の表面に結合した標的物と相互作用するように前記増幅器溶液が配置されていることを特徴とする請求項４に記載の方法。
【請求項６】
各局所的な測定値が、増幅前シグナルと増幅後シグナルとの差を含み、前記試料と前記個別のアッセイ領域との相互作用後に、かつ前記増幅器溶液と個別のアッセイ領域に結合した標的物との相互作用前に、増幅前シグナルが検出され、前記個別のアッセイ領域に結合した標的物と前記増幅器溶液との相互作用後に、増幅後シグナルが検出されることを特徴とする請求項５に記載の方法。
【請求項７】
前記アッセイデータをモデル化するステップが、調整期間を用いて前記試料のバルク屈折率を算定するステップを含むことを特徴とする請求項６に記載の方法。
【請求項８】
前記調整期間は、前記試料と前記アッセイ領域との相互作用の前に検出されたベースラインシグナルと、前記増幅前シグナルとの差に基づいて決定されることを特徴とする請求項７に記載の方法。
【請求項９】
各局所的な測定値が、前記増幅器溶液が前記個別のアッセイ領域と相互作用する比率を示すことを特徴とする請求項５に記載の方法。
【請求項１０】
前記順番におけるアッセイ領域の位置を示す量が、前記アッセイ領域の位置の上流のプローブ物の量を示す請求項１乃至９のいずれか１項に記載の方法。
【請求項１１】
試料中の標的物の試料濃度を決定するためのシステムであって、
アッセイアセンブリの複数のアッセイ領域のそれぞれでの標的物の局所的な濃度を示す個別の局所的な測定値のデータ点を含むアッセイデータを得、
前記アッセイデータをパラメータ化された関数でモデル化し、
１つ以上のパラメータの少なくとも１つに基づいて試料濃度を示す値を決定するように配置された処理装置を含み、
ここで、前記アッセイ領域は、前記アッセイアセンブリを流れる試料が各アッセイ領域を順番に流れるように直列に連結されており、
各アッセイ領域はその表面に固定化されている複数のプローブ物を含み、前記プローブ物は、前記試料が前記アッセイ領域の１つから次のものまで流れる際に前記標的物の濃度が減少するように、前記標的物に結合するように配置されており、
前記パラメータ化された関数がロジスティック関数であり、前記パラメータ化された関数が下記数式に比例することを特徴とするシステム。
【数２】
2017534885.tif 000002
（式中、ＤＰｍａｘおよびＳｈａｐｅは前記アッセイアセンブリに特有の固定パラメータであり、Ｏｆｆｓｅｔは試料標的濃度に依存するパラメータであり、ＤＺｉは、順番における個別のアッセイ領域ｉの位置を示す。）
【請求項１２】
前記システムは、アッセイアセンブリを流れる試料が各アッセイ領域を順番に流れるように直列に連結された複数のアッセイ領域を含み、各アッセイ領域はその表面に固定化されている複数のプローブ物を含み、前記プローブ物は、前記試料が前記アッセイ領域の１つから次のものまで流れる際に標的物の濃度が減少するように標的物に結合するように配置されているアッセイアセンブリと；
各アッセイ領域で局所的な測定を実施して、前記複数のアッセイ領域のそれぞれでの前記標的物の局所的な濃度を示す個別の局所的な測定値のデータ点を含むアッセイデータを得るように配置された少なくとも１つの検出器と、をさらに含み；
前記処理装置が、前記少なくとも１つの検出器からアッセイデータを得るように配置されている請求項１１に記載のシステム。
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
多孔質体の成形体（３）を含む貯蔵容器（１）であって、前記貯蔵容器（１）が、少なくとも１個の入口（９）を含む区域（７）を有する壁（５）を含み、前記貯蔵容器（１）が、中心軸（１１）を有し、前記中心軸（１１）が、前記貯蔵容器（１）の長手軸であり、及び／又は前記少なくとも１個の入口（９）の断面領域に垂直であり、前記成形体（３）が、前記貯蔵容器（１）の内部体積（１３）の少なくとも８５％を占め、前記成形体（３）が、前記貯蔵容器（１）の中心軸（１１）に関する軸の軸方向（１７）に開口部（１９）を含み、前記開口部（１９）が、前記成形体（３）の第一端（２１）から、前記成形体（３）の反対側の第二端（２３）まで延在し、前記貯蔵容器（１）が、一体に形成された正確に１個の成形体（３）を含み、前記成形体（３）が、前記軸方向（１７）に中空チャネル（１５）を含み、各中空チャネル（１５）の断面領域（２５）が、前記開口部（１９）の断面領域（２７）よりも小さいことを特徴とする貯蔵容器。
【請求項２】
前記中空チャネル（１５）が、０．５ｍｍ〜３ｍｍの範囲の内径（３１）を有する請求項１に記載の貯蔵容器。
【請求項３】
全ての中空チャネル（１５）の前記断面領域（２５）の合計が、前記少なくとも１個の入口（９）の断面領域より２０％未満小さいか、又は大きい請求項１又は２に記載の貯蔵容器。
【請求項４】
隣接する中空チャネル（１５）の前記断面領域（２５）の２個の周囲間の最短距離（３３）が、２ｃｍ未満である請求項１〜３のいずれか１項に記載の貯蔵容器。
【請求項５】
前記貯蔵容器（１）が、少なくとも１個の出口（３５）を含み、前記少なくとも１個の入口（９）及び前記少なくとも１個の出口（３５）が、両方とも前記貯蔵容器（１）の壁（５）の同一の区域（７）に備えられている請求項１〜４のいずれか１項に記載の貯蔵容器。
【請求項６】
前記成形体（３）がない第一の空隙空間（４３）が、前記貯蔵容器（１）の壁（５）と、前記軸方向（１７）を向き、前記少なくとも１個の入口（９）と反対側に面する前記成形体（３）の端面（４５）との間に備えられ、前記第一の空隙空間（４３）が、前記貯蔵容器（１）の内部体積（１３）の１５％以下である請求項１〜５のいずれか１項に記載の貯蔵容器。
【請求項７】
少なくとも１個の第一のスペーサー（４７）が、前記成形体（３）の端面（４５）に隣接して、又は端面（４５）上に備えられる請求項６に記載の貯蔵容器。
【請求項８】
前記成形体（３）がない第二の空隙空間（３７）が、前記貯蔵容器（１）の壁（５）と、前記成形体（３）の周囲面（３９）との間に備えられ、前記周囲面（３９）が、前記中心軸（１１）に関する半径の半径方向（４１）を向き、前記第二の空隙空間（３７）が、前記貯蔵容器（１）の内部体積（１３）の１０％以下である請求項１〜７のいずれか１項に記載の貯蔵容器。
【請求項９】
少なくとも１個の第二のスペーサー（４９）が、前記成形体（３）の周囲面（３９）に隣接して、又は周囲面（３９）上に備えられる請求項８に記載の貯蔵容器。
【請求項１０】
前記貯蔵容器（１）及び前記成形体（３）が、円筒形状を有する請求項１〜９のいずれか１項に記載の貯蔵容器。
【請求項１１】
前記成形体（３）の最短延在部が、１０ｃｍ〜１００ｃｍの範囲であり、前記成形体（３）の最長延在部が、２０ｃｍ〜３００ｃｍの範囲である請求項１〜１０のいずれか１項に記載の貯蔵容器。
【請求項１２】
前記多孔質体が、活性炭、ゼオライト、活性アルミナ、シリカゲル、開放細孔ポリマーフォーム、金属水素化物、金属有機骨格（ＭＯＦ）、及びそれらの組み合わせからなる群から選択され、前記ガスが、天然ガス、シェールガス、都市ガス、メタン、エタン、水素、プロパン、プロペン、エチレン、二酸化炭素、及びそれらの組み合わせからなる群から選択される請求項１〜１１のいずれか１項に記載の貯蔵容器。
【請求項１３】
請求項１〜１２のいずれか１項に記載の貯蔵容器において使用するための成形体であって、前記成形体が、多孔質体のものであり、前記成形体が、開口部を含み、前記開口部（１９）が、前記成形体（３）の第一端（２１）から、前記成形体（３）の反対側の第二端（２３）まで延在し、前記成形体（３）が、一体に形成され、前記成形体（３）が、前記軸方向（１７）に中空チャネル（１５）を含み、各中空チャネル（１５）の断面領域（２５）が、前記開口部（１９）の断面領域（２７）よりも小さい成形体。
【請求項１４】
ガスを貯蔵するための請求項１３に記載の成形体を使用する方法。
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
治療部位に１種または複数種の治療物質を送達するデバイスにおいて、
本体と、
前記本体に対して移動可能である１つまたは複数の部材であって、前記１つもしくは複数の部材および／または前記本体に対して接続しかつ／または部分的に重なって、前記治療部位においてバリア領域を画定するように構成された１つまたは複数の部材と、
１種または複数種の治療物質を前記バリア領域に送達するように構成された１つまたは複数の送達内腔と、
を備えることを特徴とするデバイス。
【請求項２】
請求項１に記載のデバイスにおいて、前記１つまたは複数の部材が、伸長状態で前記本体から展開し、接続されかつ／または部分的に重なった状態まで遷移するように構成されていることを特徴とするデバイス。
【請求項３】
請求項１に記載のデバイスにおいて、前記１つまたは複数の部材が、接続された状態で展開するように構成されていることを特徴とするデバイス。
【請求項４】
請求項１に記載のデバイスにおいて、
前記デバイスが、１つの部材を含み、前記部材が、本体に対して伸長状態で展開し、かつ前記部材の全長が展開した後に、前記部材の一部が前記部材の別の部分に隣接する部分的に重なった状態に遷移するように、構成されており、
前記部分的に重なった状態で、前記部材がバリア領域を画定することを特徴とするデバイス。
【請求項５】
請求項１乃至４の何れか一項に記載のデバイスにおいて、
前記１つまたは複数の部材の移動を制御するように構成された１つまたは複数の操縦部材をさらに備えることを特徴とするデバイス。
【請求項６】
請求項５に記載のデバイスにおいて、
前記１つまたは複数の部材が、複数の送達ポートの少なくとも２つの組を含み、
送達ポートの各組が、送達内腔と連通し、治療物質を送達するように構成されていることを特徴とするデバイス。
【請求項７】
請求項６に記載のデバイスにおいて、前記１つもしくは複数の部材および／または前記１つもしくは複数の操縦部材が、形状記憶材料から作製されていることを特徴とするデバイス。
【請求項８】
請求項１または５に記載のデバイスにおいて、
前記１つもしくは複数の操縦部材、前記本体、前記１つもしくは複数の部材、および／またはそれらの組合せに配置された１つまたは複数の接続部材
をさらに備え、
前記１つまたは複数の接続部材が、前記バリア領域を画定するように、前記１つまたは複数の接続部材のうちの１つを、前記１つもしくは複数の接続部材のうちの別のもの、前記本体、および／または前記１つもしくは複数の部材のある位置に接続するように構成されていることを特徴とするデバイス。
【請求項９】
請求項１に記載のデバイスにおいて、前記バリア領域のサイズが、前記本体に対する前記１つまたは複数の部材の展開の量に基づくことを特徴とするデバイス。
【請求項１０】
請求項１または４に記載のデバイスにおいて、
吸引を加えるように構成された１つまたは複数のポート
をさらに備え、
前記本体および／または前記１つもしくは複数の部材が、吸引を加えるように構成された１つまたは複数のポートを含むことを特徴とするデバイス。
【請求項１１】
治療部位に１種または複数種の治療物質を送達するデバイスにおいて、
本体と、
前記本体に対して移動可能でありかつ前記治療部位においてバリア領域を画定するように構成された少なくとも１つの部材と、
を備え、
前記１つまたは複数の部材が、
前記少なくとも１つの部材の表面に配置されかつ吸引を加えるように構成された１つまたは複数のポートの少なくとも１つの組と、
前記バリア領域を包囲するように前記少なくとも１つの部材の表面に配置され、かつ少なくとも１種の治療物質を送達するように構成された、送達ポートの少なくとも１つの組と、
を含むことを特徴とするデバイス。
【請求項１２】
請求項１１に記載のデバイスにおいて、
前記デバイスが、１つの部材を含み、前記部材が、本体に対して伸長状態で展開し、かつ前記部材の全長が展開した後に、前記部材の一部が前記部材の別の部分に隣接する部分的に重なった状態に遷移するように、構成されており、
前記部分的に重なった状態で、前記部材がバリア領域を画定することを特徴とするデバイス。
【請求項１３】
請求項１１または１２に記載のデバイスにおいて、前記１つまたは複数の部材の移動を制御するように構成された１つまたは複数の操縦部材をさらに備えることを特徴とするデバイス。
【請求項１４】
請求項１３に記載のデバイスにおいて、前記１つもしくは複数の部材および／または前記１つもしくは複数の操縦部材が、形状記憶材料から作製されていることを特徴とするデバイス。
【請求項１５】
請求項１１または１４に記載のデバイスにおいて、
前記１つもしくは複数の操縦部材、前記本体、前記１つもしくは複数の部材、および／またはそれらの組合せに配置された１つまたは複数の接続部材
をさらに備え、
前記１つまたは複数の接続部材が、前記バリア領域を画定するように、前記１つまたは複数の接続部材のうちの１つを、前記１つもしくは複数の接続部材のうちの別のもの、前記本体、および／または前記１つもしくは複数の部材のある位置に接続するように構成されていることを特徴とするデバイス。
【請求項１６】
請求項１１または１２に記載のデバイスにおいて、前記本体が、吸引を加えるように構成された１つまたは複数のポートのパターンを含むことを特徴とするデバイス。
【請求項１７】
請求項１１または１２に記載のデバイスにおいて、前記画定されたバリア領域が円形状領域であることを特徴とするデバイス。
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
生検マーカーであって、
第１表面を有する軸に沿って順に配列された第１形状部、第２形状部及び第３形状部を含み、
前記第１形状部の前記第１表面は、前記第２形状部の前記第１表面に対して選択された第１の角度を有し、
前記第２形状部の前記第１表面は、前記第３形状部の前記第１表面に対して選択された第２角度を有する生検マーカー。
【請求項２】
前記第２形状部は、前記第１表面を貫通して延長される貫通孔を有する請求項１に記載の生検マーカー。
【請求項３】
前記第１形状部及び前記第２形状部は、それぞれ前記第１表面を貫通して延長する貫通孔をそれぞれ具備する請求項２に記載の生検マーカー。
【請求項４】
前記第１形状部及び前記第３形状部の各々は、外部エッジに沿って切開部を具備する請求項２に記載の生検マーカー。
【請求項５】
前記第１形状部乃至第３形状部の各々は長方形の形状を有する請求項２に記載の生検マーカー。
【請求項６】
前記貫通孔は円形の断面を有する請求項２に記載の生検マーカー。
【請求項７】
前記選択された第１角度及び前記選択された第２角度はそれぞれ約３０度である請求項１に記載の生検マーカー。
【請求項８】
前記第１形状部、第２形状部及び第３形状部を囲む生体吸収性物質をさらに含む請求項１に記載の生検マーカー。
【請求項９】
前記生体吸収性物質は圧縮されている請求項８に記載の生検マーカー。
【請求項１０】
前記第１形状部を前記第２形状部と連結する第１狭小部；及び
前記第２形状部を前記第３形状部と連結する第２狭小部をさらに含む請求項１に記載の生検マーカー。
【請求項１１】
平らな金属シートからマーカーブランクをスタンピングするステップであって、前記マーカーブランクは、
軸に沿って順に配列された第１形状部、第２形状部及び第３形状部を含み、それぞれの形状部は第１表面を有し；
前記第１形状部の前記第１表面が前記第２形状部の前記第１表面に対して選択された第１角度になるように前記軸を中心に前記第１形状部を捩じるステップ；及び
前記第２形状部の前記第１表面が前記第３形状部の前記第１表面に対して選択された第２角度になるように前記軸を中心に前記第３形状部を捩じるステップを含む生検マーカー製造方法。
【請求項１２】
前記生検マーカーを生体吸収性物質にカプセル化するステップ；及び
前記生検マーカーの周りで生体吸収性物質を圧縮するステップをさらに含む請求項１１に記載の生検マーカー製造方法。
【請求項１３】
前記マーカーブランクは、
前記第１形状部を前記第２形状部と連結する第１狭小部；及び
前記第２形状部を前記第３形状部と連結する第２狭小部をさらに含む請求項１１に記載の生検マーカー製造方法。
【手続補正書】
【提出日】平成30年9月11日(2018.9.11)
【手続補正１】
【補正対象書類名】明細書
【補正対象項目名】００３４
【補正方法】変更
【補正の内容】
【００３４】
前記サンプリング装置は筐体を備えている。この筐体は、チャンバ、少なくとも１つの開口部、作動手段および分離区画を備えている。特に、筐体は密閉手段であり、これは、作動手段および分離区画をサンプリング装置内に保持する。
【手続補正２】
【補正対象書類名】特許請求の範囲
【補正対象項目名】全文
【補正方法】変更
【補正の内容】
【特許請求の範囲】
【請求項１】
筐体を備えたサンプリング装置であって、前記筐体は、チャンバ、少なくとも１つの開口部、作動手段および分離区画を備え、前記分離区画は、保持手段により前記筐体内に解放可能に保持され、前記作動手段は、内部物質を、前記開口部を通じて前記チャンバ中に吸い込むことができると同時に、前記分離区画が前記サンプリング装置の前記筐体から排出されるまで、該筐体に沿って該分離区画を押し、それによって、該サンプリング装置の該チャンバ内にサンプルを受け入れ、貯蔵するための増大した空間または容積が作り出され、前記作動手段は密閉手段に繋がれており、前記作動手段の動作によって、該密閉手段が前記開口部を閉鎖する、サンプリング装置。
【請求項２】
前記保持手段が、締結手段、および／または前記装置の外部環境の変化に対して反応する材料である、請求項１記載のサンプリング装置。
【請求項３】
前記締結手段が前記密閉手段に繋がれている、請求項２記載のサンプリング装置。
【請求項４】
前記材料が、ｐＨ、温度、光、溶質濃度または酵素に対して反応する、請求項２または３記載のサンプリング装置。
【請求項５】
前記材料が、分解性、可消化性、または可溶性である、請求項２から４いずれか１項記載のサンプリング装置。
【請求項６】
前記締結手段が連動機構によって作動される、請求項２から５いずれか１項記載のサンプリング装置。
【請求項７】
前記連動機構が、自動的に作動される、予めプログラミングされる、および／または遠隔作動される、請求項６記載のサンプリング装置。
【請求項８】
前記連動機構が、回転、半径方向、もしくは直線運動または手段によって、締結または解放される、請求項６または７記載のサンプリング装置。
【請求項９】
前記連動機構が歯止めである、請求項６から８いずれか１項記載のサンプリング装置。
【請求項１０】
前記締結手段が、電磁または圧電手段、形状記憶合金、筋肉ワイヤまたは犠牲ヒューズから選択されたトリガー手段によってさらに作動される、請求項２から９いずれか１項記載のサンプリング装置。
【請求項１１】
前記トリガー手段が、自動的に作動される、予めプログラミングされる、および／または遠隔作動される、請求項１０記載のサンプリング装置。
【請求項１２】
前記締結手段が、自動的に作動される、予めプログラミングされる、および／または遠隔作動される、請求項２から１１いずれか１項記載のサンプリング装置。
【請求項１３】
前記締結手段が、解放パラメータに反応して解放される、請求項２から１２いずれか１項記載のサンプリング装置。
【請求項１４】
前記解放パラメータが、ｐＨの変化、温度の変化、水分の変化、溶質濃度の変化、酵素濃度の変化または光の変化である、および／または所定の時間で、および／または所定のｐＨで、および／または所定の温度で、および／または所定の水分レベルで、および／または所定の溶質濃度で、および／または所定の酵素活性または濃度で作動される、請求項１３記載のサンプリング装置。
【請求項１５】
前記作動手段がプランジャーである、請求項１から１４いずれか１項記載のサンプリング装置。
【請求項１６】
前記作動手段が、バネおよびプランジャー構成である、請求項１から１５いずれか１項記載のサンプリング装置。
【請求項１７】
前記作動手段が、前記サンプリング装置の前記筐体の一端に結合されており、前記分離区画が、該サンプリング装置の反対の端部で該筐体内に前記保持手段によって解放可能に保持されている、請求項１から１６いずれか１項記載のサンプリング装置。
【請求項１８】
前記保持手段が作動され、前記分離区画が、少なくとも部分的に解放され、前記作動手段から少なくとも部分的に外れる、請求項１から１７いずれか１項記載のサンプリング装置。
【請求項１９】
前記作動手段が、前記分離区画が前記サンプリング装置よりそこから排出される前記筐体の端部でストッパー手段によって該筐体から排出されるのが防がれる、請求項１から１８いずれか１項記載のサンプリング装置。
【請求項２０】
前記ストッパー手段が、リップ、ピン、突出部または突起である、請求項１９記載のサンプリング装置。
【請求項２１】
前記分離区画が、少なくとも蓄電池、センサおよびマイクロプロセッサを含む、請求項１から２０いずれか１項記載のサンプリング装置。
【請求項２２】
前記センサがｐＨセンサおよび／または温度センサである、請求項２１記載のサンプリング装置。
【請求項２３】
前記分離区画が圧力スイッチをさらに含む、請求項２１または２２記載のサンプリング装置。
【請求項２４】
前記圧力スイッチが、前記分離区画が前記サンプリング装置の前記筐体から排出されるタイミングを記録するように適合されている、請求項２３記載のサンプリング装置。
【請求項２５】
前記装置が再利用可能である、請求項１から２４いずれか１項記載のサンプリング装置。
【請求項２６】
前記装置が、動物の胃腸管からの内部物質をサンプリングするためのものである、請求項１から２５いずれか１項記載のサンプリング装置。
【請求項２７】
動物の胃腸管のサンプルを得る方法において、請求項１から２６いずれか１項記載のサンプリング装置を前記動物に経口投与する工程、および前記装置を回収する工程を有してなる方法。
【請求項２８】
前記動物が、ヒト、コンパニオンアニマル、家畜または生産動物である、請求項２７記載の方法。
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
ユーザのバイタルサインを測定又は決定する光学的バイタルサインセンサにおいて、前記光学的バイタルサインセンサは、
ユーザの皮膚上に直接的に配置される接触面を持つハウジングと、
入射角の角度範囲を持つ光ビームを生成する少なくとも１つの光源であって、前記光ビームが、前記接触面を介して放射され、前記ユーザの皮膚に向けられる、当該少なくとも１つの光源と、
前記接触面を介して直接的に光を検出する少なくとも１つの光検出器ユニットであって、前記光が、前記ユーザの皮膚内の又はからの前記少なくとも１つの光源からの前記光ビームの反射を示し、前記少なくとも１つの光源及び前記少なくとも１つの光検出器ユニットが、間に距離を空けて前記ハウジング内で互いの近傍に配置される、当該少なくとも１つの光検出器ユニットと、
前記少なくとも１つの光源と前記接触面との間に配置され、前記接触面に対する入射角の角度範囲を−２０°と＋２０°との間に制限することにより前記少なくとも１つの光源の前記光ビームを成形する光成形ユニットと、
を有するフォトプレチスモグラフィセンサを有し、
前記光成形ユニットが、−２０°より小さく、＋２０°より大きい入射角度を持つ光ビームを反射又は方向転換し、−２０°と＋２０°との間の入射角度を持つ光を透過する光学フィルムを有する、
光学的バイタルサインセンサ。
【請求項２】
前記光成形ユニットが、大きな角度を持つ光をリサイクルする拡散チャンバを有する、請求項１に記載の光学的バイタルサインセンサ。
【請求項３】
前記光成形ユニットが、前記少なくとも１つの光源と前記少なくとも１つの光検出器ユニットとの間に鏡側面を持つ分離壁を有する、請求項１に記載の光学的バイタルサインセンサ。
【請求項４】
前記光成形ユニットが、光屈折ユニットを持つ、請求項１に記載の光学的バイタルサインセンサ。
【請求項５】
前記光成形ユニットが、光コリメーション板を有する、請求項１に記載の光学的バイタルサインセンサ。
【請求項６】
前記少なくとも１つの光源が、側面発光ダイオードを有し、前記少なくとも１つの光検出器ユニットが、第１の端部において前記少なくとも１つの光源に結合された光輸送ユニットを有し、前記光輸送ユニットの遠位端は、前記光輸送ユニットを通る光が前記ユーザの皮膚に向かって反射されるような傾斜を有する、請求項１に記載の光学的バイタルサインセンサ。
【請求項７】
前記少なくとも１つの光源が、複数の発光ダイオードを有し、前記少なくとも１つの光検出器ユニットが、角度選択フィルム、拡散器フィルム又は方向転換フィルムを有する、請求項１に記載の光学的バイタルサインセンサ。
【請求項８】
前記光学的バイタルサインセンサが、ウェアラブルデバイス又は手首デバイスである、請求項１に記載の光学的バイタルサインセンサ。
【請求項９】
ユーザのバイタルサインを測定又は決定する方法において、
フォトプレチスモグラフィセンサのハウジングの接触面をユーザの皮膚に対して配置するステップと、
前記フォトプレチスモグラフィセンサ内の少なくとも１つの光源により入射角の角度範囲を持つ光ビームを生成するステップと、
前記接触面により前記光ビームを前記ユーザの皮膚に向けるステップと、
前記接触面を介して直接的に光を検出するステップであって、前記光が、前記フォトプレチスモグラフィセンサの前記ハウジング内の少なくとも１つの光検出器ユニットにより前記ユーザの皮膚内の又はからの前記少なくとも１つの光源からの前記光ビームの反射を示し、前記少なくとも１つの光源及び前記少なくとも１つの光検出器ユニットが、間に距離を空けて前記ハウジング内で互いの近傍に配置される、ステップと、
前記少なくとも１つの光源と前記ハウジングの前記接触面との間に配置された光成形ユニットを用いて前記入射角の角度範囲を−２０度と＋２０°との間に制限することにより前記光成形ユニットにおいて前記少なくとも１つの光源の前記光ビームを成形するステップと、
を有し、
前記光成形ユニットが、−２０°より小さく、＋２０°より大きい入射角度を持つ光ビームを反射又は方向転換し、−２０°と＋２０°との間の入射角度を持つ光を透過する光学フィルムを有する、
方法。
【請求項１０】
請求項１に記載の光学的バイタルサインセンサを制御するコンピュータ上で実行される場合に、前記光学的バイタルサインセンサに、請求項９に記載のユーザのバイタルサインを測定又は決定する方法のステップを実行させるコンピュータプログラムコード手段を記憶するコンピュータ可読メモリを有するコンピュータプログラムプロダクト。
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
患者の眼の瞬きを検出するための装置であって、
患者の角膜のトポグラフィーを測定するためのトポグラフィー測定システムであって、少なくとも１つの幾何学的マーカーを有するトポグラフィー測定システムと、
患者の眼の屈折構造からの反射光の画像を所定時間に亘って捕捉するように構成された画像捕捉装置と、
前記幾何学的マーカーに対応する光が捕捉された画像内に存在しているか否かを決定するべく当該捕捉された画像を分析するよう構成された有形の媒体を有するプロセッサと、
を備え、
前記幾何学的マーカーに対応する光が捕捉された画像内に存在していない場合、前記プロセッサは、前記所定時間において瞬きがあったことを報告する
ことを特徴とする装置。
【請求項２】
レーザ眼手術システムにおける瞬き検出方法であって、
少なくとも１つの幾何学的マーカーを有するトポグラフィー測定構造を提供する工程と、
前記少なくとも１つの幾何学的マーカーからの光が患者の眼の屈折構造から反射可能であるように、前記トポグラフィー測定構造を当該患者の眼の近接位置に載置する工程と、
前記トポグラフィー測定構造が前記近接位置にある間に前記患者の眼からの反射光を所定時間に亘って検出する工程と、
前記所定時間の前記眼の表面からの前記反射光を画像データに変換する工程と、
前記幾何学的マーカーに対応する光が前記反射光内で検出されているか否かを決定するべく前記画像データを分析し、前記幾何学的マーカーが存在しないと決定される場合、前記患者は前記所定時間において瞬きしたと判断される工程と、
を備えたことを特徴とする方法。
【請求項３】
前記少なくとも１つの幾何学的マーカーは、円を含む
ことを特徴とする請求項２に記載の方法。
【請求項４】
前記幾何学的マーカーは、複数個あって、
前記複数の幾何学的マーカーは、少なくとも２つの同心円を有する
ことを特徴とする請求項２に記載の方法。
【請求項５】
前記複数の幾何学的マーカーは、２つの同心円である
ことを特徴とする請求項４に記載の方法。
【請求項６】
前記構造は、角膜である
ことを特徴とする請求項２に記載の方法。
【請求項７】
光は角膜の涙膜から反射される
ことを特徴とする請求項６に記載の方法。
【請求項８】
前記画像データを分析する工程は、画像データのハフ変換、画像データの適合、及び、適合の良さの測定、の少なくとも１つと、幾何学的マーカーのテンプレートとの画像相関と、を実施する工程を含んでいる
ことを特徴とする請求項２に記載の方法。
【請求項９】
前記画像データを分析する工程は、画像データのハフ変換を実施する工程を含んでいる
ことを特徴とする請求項８に記載の方法。
【請求項１０】
前記検出工程は、更に、眼の表面からの反射光を周期的に再検出する工程を含んでいる
ことを特徴とする請求項２に記載の方法。
【請求項１１】
前記周期的な検出は、３０Ｈｚの速度に対応している
ことを特徴とする請求項１０に記載の方法。
【請求項１２】
レーザ眼手術システムにおける改良された撮像及び照準合わせの方法であって、
少なくとも１つの幾何学的マーカーを有するトポグラフィー測定構造を、前記少なくとも１つの幾何学的マーカーからの光が患者の眼の屈折構造から反射可能であるように、当該患者の眼の近接位置に提供する工程と、
患者の眼に関する構造ないし位置のデータを生成する工程と、
前記生成する工程の少なくとも一部の間であって且つ前記トポグラフィー測定構造が前記近接位置にある間に、前記患者の眼の屈折表面からの反射光を所定時間に亘って周期的に検出する工程と、
少なくとも１回の所定時間の前記眼の表面からの前記反射光を画像データに変換する工程と、
前記幾何学的マーカーに対応する光が前記反射光内に存在していたか否かを決定するべく前記画像データを分析し、前記幾何学的マーカーが存在しないと決定される場合、前記患者は前記所定時間において瞬きしたと判断される工程と、
を備えたことを特徴とする方法。
【請求項１３】
前記患者の眼に関する構造ないし位置の情報を再生成する工程
を更に備えたことを特徴とする請求項１２に記載の方法。
【請求項１４】
前記患者が瞬きしたと決定された時間に対応する構造ないし位置のデータが正確でないと判断する工程
を更に備えたことを特徴とする請求項１２に記載の方法。
【請求項１５】
前記患者が瞬きしたと決定された時間に対応する構造ないし位置のデータを除去する工程
を更に備えたことを特徴とする請求項１２に記載の方法。
【請求項１６】
前記少なくとも１つの幾何学的マーカーは、円を含む
ことを特徴とする請求項１２に記載の方法。
【請求項１７】
前記幾何学的マーカーは、複数個あって、
前記複数の幾何学的マーカーは、少なくとも２つの同心円を有する
ことを特徴とする請求項１２に記載の方法。
【請求項１８】
前記複数の幾何学的マーカーは、２つの同心円である
ことを特徴とする請求項１７に記載の方法。
【請求項１９】
前記構造は、角膜である
ことを特徴とする請求項１２に記載の方法。
【請求項２０】
光は角膜の涙膜から反射される
ことを特徴とする請求項１９に記載の方法。
【請求項２１】
前記画像データを分析する工程は、画像データのハフ変換、画像データの適合、及び、適合の良さの測定、の少なくとも１つと、幾何学的マーカーのテンプレートとの画像相関と、を実施する工程を含んでいる
ことを特徴とする請求項１２に記載の方法。
【請求項２２】
前記画像データを分析する工程は、画像データのハフ変換を実施する工程を含んでいる
ことを特徴とする請求項２１に記載の方法。
【請求項２３】
前記周期的な検出は、３０Ｈｚの速度に対応している
ことを特徴とする請求項１２に記載の方法。